(57)【要約】【課題】複雑な設定操作を必要とすることなく、また利用者が抵抗を感じることなく、無線電話端末を連携制御する。【解決手段】ルータＲＴが、無線電話端末３０からＩＰ電話網ＮＷに送信された網宛て呼制御メッセージを電話制御装置１０へ転送し、電話制御装置１０の転送制御部１４Ａが、ルータＲＴから転送された網宛て呼制御メッセージのうち、ＩＰ電話網ＮＷに対する無線電話端末３０の登録処理に関するメッセージについて、当該メッセージに含まれる送信元アドレス情報を自装置のアドレス情報に変更した後、ＩＰ電話網ＮＷへ送信し、これに応じて受信したＩＰ電話網ＮＷからの端末宛て呼制御メッセージについて、当該メッセージに含まれる送信先アドレス情報を無線電話端末３０のアドレス情報に変更した後、無線電話端末３０へ送信する。【選択図】  図１
2015073219.tif 000002
【特許請求の範囲】
【請求項１】
ＬＡＮ回線に接続された電話制御装置および無線基地局と、前記ＬＡＮ回線とＩＰ電話網とを中継接続するルータと、前記無線基地局を介して前記ルータに接続された少なくとも１つの無線電話端末とを備え、前記電話制御装置が、少なくとも１つの内線電話端末を収容し、これら内線電話端末および無線電話端末のうち、予め登録された連携関係にある内線電話端末と無線電話端末との間で、当該無線電話端末のＩＰ電話番号からなる連携電話番号を当該内線電話番号の個別電話番号として共通に割り当てて呼制御を行う電話システムであって、
前記ルータは、前記無線電話端末から前記ＩＰ電話網に送信された網宛て呼制御メッセージを前記電話制御装置へ転送し、
前記電話制御装置は、前記ルータから転送された前記網宛て呼制御メッセージのうち、前記ＩＰ電話網に対する前記無線電話端末の登録処理に関する前記網宛て呼制御メッセージについて、当該網宛て呼制御メッセージに含まれる送信元アドレス情報を自装置のアドレス情報に変更した後、前記ＬＡＮ回線から前記ＩＰ電話網へ送信し、これに応じて前記ＬＡＮ回線から受信した前記ＩＰ電話網からの端末宛て呼制御メッセージについて、当該端末宛て呼制御メッセージに含まれる送信先アドレス情報を前記無線電話端末のアドレス情報に変更した後、前記ＬＡＮ回線から当該無線電話端末へ送信する転送制御部を備える
ことを特徴とする電話システム。
【請求項２】
請求項１に記載の電話システムにおいて、
前記転送制御部は、前記ルータから転送された前記網宛て呼制御メッセージのうち、前記ＩＰ電話網に対する前記無線電話端末の発信処理に関する網宛て呼制御メッセージについて、当該網宛て呼制御メッセージに含まれる送信元アドレス情報を自装置のアドレス情報に変更した後、前記ＬＡＮ回線から前記ＩＰ電話網へ送信し、これに応じて前記ＬＡＮ回線から受信した前記ＩＰ電話網からの端末宛て呼制御メッセージについて、当該端末宛て呼制御メッセージに含まれる送信先アドレス情報を前記無線電話端末のアドレス情報に変更した後、前記ＬＡＮ回線から当該無線電話端末へ送信する
ことを特徴とする電話システム。
【請求項３】
請求項１または請求項２に記載の電話システムにおいて、
前記転送制御部は、前記ＩＰ電話網へ送信した前記網宛て呼制御メッセージに応じて前記ＬＡＮ回線から前記ＩＰ電話網からの認証要求メッセージを受信した場合、当該認証要求メッセージに含まれる送信先アドレス情報を前記無線電話端末のアドレス情報に変更した後、前記ＬＡＮ回線から当該無線電話端末へ送信し、これに応じて前記ＬＡＮ回線から受信した当該無線電話端末からの認証付き網宛て呼制御メッセージについて、当該認証付き網宛て呼制御メッセージに含まれる送信元アドレス情報を自装置のアドレス情報に変更した後、前記ＬＡＮ回線から前記ＩＰ電話網へ送信する
ことを特徴とする電話システム。
【請求項４】
請求項１〜請求項３のいずれか１つに記載の電話システムにおいて、
前記転送制御部は、前記ルータから転送された前記網宛て呼制御メッセージを前記前記ＩＰ電話網へ送信する際、当該網宛て呼制御メッセージの送信元となる無線電話端末が、予め前記内線電話端末のいずれかとの連携関係が設定されている無線電話端末である場合にのみ、当該網宛て呼制御メッセージを前記ＩＰ電話網へ送信することを特徴とする電話システム。
【請求項５】
請求項１〜請求項４のいずれか１つに記載の電話システムにおいて、
前記端末宛て呼制御メッセージが前記無線電話端末の登録処理の成功を示す場合、当該無線電話端末と連携関係にある前記内線電話端末が有する機能キーのうちのいずれかに、これら無線電話端末および内線電話端末間で共用する連携電話番号と対応する連携回線を選択するための連携回線キーを割り当てる連携制御部をさらに備えることを特徴とする電話システム。
【請求項６】
請求項１〜請求項５のいずれか１つに記載の電話システムにおいて、
前記転送制御部は、前記ルータから転送された前記網宛て呼制御メッセージのうち、前記ＩＰ電話網に対する前記無線電話端末の登録更新処理に関する網宛て呼制御メッセージについて、当該網宛て呼制御メッセージに含まれる送信元アドレス情報を自装置のアドレス情報に変更した後、前記ＬＡＮ回線から前記ＩＰ電話網へ送信することを特徴とする電話システム。
【発明の詳細な説明】
【技術分野】
【０００１】
本発明は、電話制御技術に関し、特に収容する内線電話端末と無線電話端末とを連携制御する電話制御技術に関する。
【背景技術】
【０００２】
ビジネスホンやＰＢＸシステムでは、スマートホンや携帯電話などの無線電話端末における無線ＬＡＮを利用したＩＰ電話機能の普及に伴い、これら無線電話端末を無線ＬＡＮ基地局経由で主装置やＰＢＸなどの電話制御装置に収容し、内線回線を介して収容した内線電話端末と同様、電話制御装置配下の電話端末として制御する技術が実用化されつつある。
【０００３】
従来、このような内線電話端末と無線電話端末とを１人の利用者が使い分けるための電話制御技術として、連携関係とする内線電話端末と無線電話端末とに１つの個別着信番号を付与することにより、当該個別着信番号に対する着信を、内線電話端末と無線電話端末のいずれでも応答可能とする端末連携機能が提案されている（例えば、特許文献１など参照）。
【先行技術文献】
【特許文献】
【０００４】
【特許文献１】特開２０１１−１８８１６０号公報
【発明の概要】
【発明が解決しようとする課題】
【０００５】
一般に、ＩＰ電話機能を持つスマートフォンや携帯電話などの無線電話端末は、ＩＰ電話網を利用して通話を行う場合、ＩＰ電話端末と同様、ＩＰ電話網に設けられたいくつかの呼制御サーバのうち、予め特定されている呼制御サーバに対して、呼制御を要求するための登録処理を実行する必要がある。
【０００６】
一方、端末連携技術において、実際に無線電話端末を電話制御装置に収容して、無線電話端末のＩＰ電話番号からなる連携電話番号を、任意の内線電話端末の個別電話番号として共通に割り当て、無線電話端末と内線電話端末との間で１つの連携電話番号を共用する場合、電話制御装置から無線電話端末を呼制御するため、通常、無線電話端末とＩＰ電話網との間でやり取りされる、発信や着信などの呼制御メッセージを、電話制御装置で中継処理する必要がある。
このため、電話制御装置が、無線電話端末に代わって、ＩＰ電話網に対する当該無線電話端末の登録処理を実行することになる。
【０００７】
このような登録処理では、ＩＰ電話網からの認証要求に応答する必要がある。このため、電話制御装置が無線電話端末に代わって登録処理を実行するには、電話制御装置から認証に必要とされるＩＤやパスワードをＩＰ電話網に返送すればよい。したがって、予めＩＰ電話端末ごとに、それぞれ個別のＩＤ、さらにはパスワードを電話制御装置に設定しておく方法が考えられる。
【０００８】
しかしながら、このような無線電話端末のＩＰ電話網用のＩＤやパスワードは、不正利用を抑止するため、その設定にはセキュリティ性を十分考慮する必要がある。このため、ＩＤやパスワードを電話制御装置に設定する際、複雑な設定操作が必要となるという問題点があった。
また、利用者が個人的に所有する無線電話端末を連携制御する場合、多くの人が利用する会社などの電話システムに、個人情報であるＩＰ電話網用のＩＤやパスワードを設定することになるため、利用者によっては抵抗を感じる場合もあるという問題点があった。
【０００９】
本発明はこのような課題を解決するためのものであり、複雑な設定操作を必要とすることなく、また利用者が抵抗を感じることなく、無線電話端末を連携制御できる電話制御技術を提供することを目的としている。
【課題を解決するための手段】
【００１０】
このような目的を達成するために、本発明にかかる電話システムは、ＬＡＮ回線に接続された電話制御装置および無線基地局と、前記ＬＡＮ回線とＩＰ電話網とを中継接続するルータと、前記無線基地局を介して前記ルータに接続された少なくとも１つの無線電話端末とを備え、前記電話制御装置が、少なくとも１つの内線電話端末を収容し、これら内線電話端末および無線電話端末のうち、予め登録された連携関係にある内線電話端末と無線電話端末との間で、当該無線電話端末のＩＰ電話番号からなる連携電話番号を当該内線電話番号の個別電話番号として共通に割り当てて呼制御を行う電話システムであって、前記ルータは、前記無線電話端末から前記ＩＰ電話網に送信された網宛て呼制御メッセージを前記電話制御装置へ転送し、前記電話制御装置は、前記ルータから転送された前記網宛て呼制御メッセージのうち、前記ＩＰ電話網に対する前記無線電話端末の登録処理に関する前記網宛て呼制御メッセージについて、当該網宛て呼制御メッセージに含まれる送信元アドレス情報を自装置のアドレス情報に変更した後、前記ＬＡＮ回線から前記ＩＰ電話網へ送信し、これに応じて前記ＬＡＮ回線から受信した前記ＩＰ電話網からの端末宛て呼制御メッセージについて、当該端末宛て呼制御メッセージに含まれる送信先アドレス情報を前記無線電話端末のアドレス情報に変更した後、前記ＬＡＮ回線から当該無線電話端末へ送信する転送制御部を備えている。
【００１１】
また、本発明にかかる上記電話システムの一構成例は、前記転送制御部が、前記ルータから転送された前記網宛て呼制御メッセージのうち、前記ＩＰ電話網に対する前記無線電話端末の発信処理に関する網宛て呼制御メッセージについて、当該網宛て呼制御メッセージに含まれる送信元アドレス情報を自装置のアドレス情報に変更した後、前記ＬＡＮ回線から前記ＩＰ電話網へ送信し、これに応じて前記ＬＡＮ回線から受信した前記ＩＰ電話網からの端末宛て呼制御メッセージについて、当該端末宛て呼制御メッセージに含まれる送信先アドレス情報を前記無線電話端末のアドレス情報に変更した後、前記ＬＡＮ回線から当該無線電話端末へ送信するようにしたものである。
【００１２】
また、本発明にかかる上記電話システムの一構成例は、前記転送制御部が、前記ＩＰ電話網へ送信した前記網宛て呼制御メッセージに応じて前記ＬＡＮ回線から前記ＩＰ電話網からの認証要求メッセージを受信した場合、当該認証要求メッセージに含まれる送信先アドレス情報を前記無線電話端末のアドレス情報に変更した後、前記ＬＡＮ回線から当該無線電話端末へ送信し、これに応じて前記ＬＡＮ回線から受信した当該無線電話端末からの認証付き網宛て呼制御メッセージについて、当該認証付き網宛て呼制御メッセージに含まれる送信元アドレス情報を自装置のアドレス情報に変更した後、前記ＬＡＮ回線から前記ＩＰ電話網へ送信するようにしたものである。
【００１３】
また、本発明にかかる上記電話システムの一構成例は、前記転送制御部が、前記ルータから転送された前記網宛て呼制御メッセージを前記前記ＩＰ電話網へ送信する際、当該網宛て呼制御メッセージの送信元となる無線電話端末が、予め前記内線電話端末のいずれかとの連携関係が設定されている無線電話端末である場合にのみ、当該網宛て呼制御メッセージを前記ＩＰ電話網へ送信するようにしたものである。
【００１４】
また、本発明にかかる上記電話システムの一構成例は、前記端末宛て呼制御メッセージが前記無線電話端末の登録処理の成功を示す場合、当該無線電話端末と連携関係にある前記内線電話端末が有する機能キーのうちのいずれかに、これら無線電話端末および内線電話端末間で共用する連携電話番号と対応する連携回線を選択するための連携回線キーを割り当てる連携制御部をさらに備えるものである。
【００１５】
また、本発明にかかる上記電話システムの一構成例は、前記転送制御部が、前記ルータから転送された前記網宛て呼制御メッセージのうち、前記ＩＰ電話網に対する前記無線電話端末の登録更新処理に関する網宛て呼制御メッセージについて、当該網宛て呼制御メッセージに含まれる送信元アドレス情報を自装置のアドレス情報に変更した後、前記ＬＡＮ回線から前記ＩＰ電話網へ送信するようにしたものである。
【発明の効果】
【００１６】
本発明によれば、無線電話端末が連携制御対象であることを電話制御装置に予め登録しておくだけで、無線電話端末からＩＰ電話網ＮＷへ送信した登録メッセージに基づいて、ＩＰ電話網ＮＷに対する無線電話端末の登録処理が、電話制御装置経由で行われ、この後、ＩＰ電話網ＮＷから着信要求が通知された場合、転送制御部において、着信処理に関する呼制御メッセージが、ＩＰ電話網ＮＷと無線電話端末との間でアドレス変換して転送される。
【００１７】
したがって、ＩＤやパスワードを設定するための複雑な設定操作を必要とすることなく、また利用者が抵抗を感じることなく、電話制御装置により、無線電話端末と内線電話端末とを連携制御することができる。
【図面の簡単な説明】
【００１８】
【図１】第１の実施の形態にかかる電話システムの構成を示すブロック図である。
【図２】端末連携情報の構成例である。
【図３】内線電話端末の外観図である。
【図４】第１の実施の形態にかかる電話システムの無線電話端末登録動作を示すシーケンス図である。
【図５】第２の実施の形態にかかる電話システムの無線電話端末着信動作を示すシーケンス図である。
【図６】第２の実施の形態にかかる電話システムの内線電話端末着信動作を示すシーケンス図である。
【図７】第３の実施の形態にかかる電話システムの無線電話端末発信動作を示すシーケンス図である。
【図８】第３の実施の形態にかかる電話システムの通話端末切替動作を示すシーケンス図である。
【図９】第４の実施の形態にかかる電話システムの登録更新動作を示すシーケンス図である。
【発明を実施するための形態】
【００１９】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
【００２０】
この電話システム１は、ビジネスホンやＰＢＸシステムなどの電話システムからなり、ルータＲＴ、電話制御装置１０、内線電話端末２０、無線基地局ＡＰ、および無線電話端末３０から構成されている。
【００２１】
電話制御装置１０は、ビジネスホンの主装置やＰＢＸシステムのＰＢＸとして用いられる電話制御装置からなり、内線回線２１を介して複数の内線電話端末２０を収容するとともに、無線基地局ＡＰを介して接続された複数の無線電話端末３０を収容し、これら内線電話端末２０および無線電話端末３０を、ＬＡＮ回線Ｌ１、ルータＲＴ、および網回線Ｌ２を介してＩＰ電話網ＮＷに交換接続する機能と、これら内線電話端末２０および無線電話端末３０のうち、予め登録された連携関係にある内線電話端末２０と無線電話端末３０との間で、当該無線電話端末２０のＩＰ電話番号からなる連携電話番号を当該内線電話番号の個別電話番号として共通に割り当てて呼制御を行う機能とを有している。なお、内線電話端末２０や無線電話端末３０の収容数については、複数に限定されるものではなく、それぞれ少なくとも１つ以上収容していれば、本発明を適用可能である。
【００２２】
ルータＲＴは、ＩＰ回線からなるＬＡＮ回線Ｌ１と網回線Ｌ２との間でパケットを転送する一般的なルータからなり、無線電話端末３０からＩＰ電話網ＮＷへ向けて送信された網宛て呼制御メッセージを、ＩＰアドレスやＭＡＣアドレスなどの送信先アドレス情報でフィルタリングして、電話制御装置１０へ転送する機能を有している。この際、転送対象となる呼制御メッセージは、ＩＰ電話網ＮＷのうち予め設定されている呼制御サーバ宛てのパケットであり、具体的には、ＩＰ電話網ＮＷに対する無線電話端末３０の登録処理、発信処理、着信処理などに関する網宛て呼制御メッセージが転送対象となる。
【００２３】
内線電話端末２０は、ビジネスホンやＰＢＸシステムなどの電話システムで、卓上に配置されて利用される一般的な内線電話機である。
無線基地局ＡＰは、ＬＡＮ回線Ｌ１に接続された一般的な無線基地局であり、無線ＬＡＮを介して収容した複数の無線電話端末３０をＬＡＮ回線Ｌ１に接続する機能を有している。
無線電話端末３０は、スマートフォンや携帯電話などの一般的な無線電話端末からなり、公衆無線電話網を利用した通話の他、例えば「０５０」で始まるＩＰ電話番号（セカンダリ電話番号）を用いて無線ＬＡＮを利用して通話を行うＩＰ電話機能を有している。
【００２４】
ＩＰ電話網ＮＷは、複数の呼制御サーバ（図示せず）で各種ＩＰ電話端末との間で呼制御メッセージをやり取りすることにより、ＩＰ通話サービスを提供するＩＰ電話網からなる。
相手電話端末４０は、ＩＰ電話網ＮＷに接続された一般的なＩＰ電話端末であり、具体的には、単独電話端末、電話システムに内線収容された内線電話端末、無線ＬＡＮを利用して通話を行うＩＰ電話機能を有するスマートフォンや携帯電話などの無線電話端末がある。
【００２５】
［電話制御装置］
電話制御装置１０には、主な機能部として、網Ｉ／Ｆ部１１、内線Ｉ／Ｆ部１２、記憶部１３、および制御部１４が設けられている。
【００２６】
網Ｉ／Ｆ部１１は、通信用のインターフェース回路からなり、ＬＡＮ回線Ｌ１、ルータＲＴ、および網回線Ｌ２を介してＩＰ電話網ＮＷとの間で発信、着信、登録などの各種呼制御メッセージや通話音声を含むパケットをやり取りする機能と、ＬＡＮ回線Ｌ１および無線基地局ＡＰを介して無線電話端末３０との間で、発信、着信、登録などの各種呼制御メッセージや通話音声を含むパケットをやり取りする機能とを有している。
【００２７】
内線Ｉ／Ｆ部１２は、専用の通信回路からなり、内線回線２１を介して内線電話端末２０との間で、発信、着信などの呼制御メッセージや通話音声などのデータをやり取りする機能を有している。
【００２８】
記憶部１３は、ハードディスクや半導体メモリなどの記憶装置からなり、制御部１４での制御処理に用いる処理データやプログラム１３Ｐを記憶する機能を有している。
プログラム１３Ｐは、制御部１４のＣＰＵに読み込まれて実行されることにより、各種処理部を実現するプログラムである。
【００２９】
記憶部１３で記憶する主な処理データとして、呼制御データ１３Ａがある。呼制御データ１３Ａは、ＬＡＮ回線Ｌ１、網回線Ｌ２、内線電話端末２０、さらには無線電話端末３０について、各種動作状態を示すステータスデータや、各種設定内容を示す設定データのほか、内線電話端末２０と無線電話端末３０との連携関係を示す端末連携情報などを含んでいる。
図２は、端末連携情報の構成例である。ここでは、連携回線として用いる、無線電話端末３０のＩＰ電話番号からなる連携電話番号ごとに、内線電話端末２０と無線電話端末３０とが組として登録されている。これにより、無線電話端末３０のＩＰ電話番号が、内線電話端末２０の個別電話番号、すなわち内線電話端末２０における発着信および通話の際に個別に利用できる外線電話番号（網側電話番号）として割り当てられる。
【００３０】
制御部１４は、ＣＰＵとその周辺回路を有するコンピュータからなり、記憶部１３のプログラム１３Ｐを読み込んで実行することにより、各種処理部を実現して、ＩＰ電話網ＮＷおよび無線電話端末３０との間で、ＳＩＰ（Session Initiation Protocol）などの呼制御プロトコルに基づく各種呼制御メッセージをやり取りするとともに、内線電話端末２０との間で各種の制御用プロトコルに基づく制御メッセージをやり取りすることにより、内線電話端末２０および無線電話端末３０に関する呼制御を行う機能を有している。
制御部１４で実現される主な処理部として、転送制御部１４Ａおよび連携制御部１４Ｂがある。
【００３１】
転送制御部１４Ａは、ルータＲＴから転送された網宛て呼制御メッセージのうち、ＩＰ電話網ＮＷに対する無線電話端末３０の登録処理に関する網宛て呼制御メッセージについて、当該網宛て呼制御メッセージに含まれるＩＰアドレスやＭＡＣアドレスなどの送信元アドレス情報を自装置のアドレス情報に変更する機能と、この変更を適用した網宛て呼制御メッセージを、ＬＡＮ回線Ｌ１からＩＰ電話網ＮＷへ送信する機能と、これに応じてＬＡＮ回線Ｌ１から受信したＩＰ電話網ＮＷからの端末宛て呼制御メッセージについて、当該端末宛て呼制御メッセージに含まれるＩＰアドレスやＭＡＣアドレスなどの送信先アドレス情報を無線電話端末３０のアドレス情報に変更する機能と、この変更を適用した端末宛て呼制御メッセージを、ＬＡＮ回線Ｌ１から当該無線電話端末３０へ送信する機能とを有している。
【００３２】
また、転送制御部１４Ａは、ＩＰ電話網ＮＷへ送信した網宛て呼制御メッセージに応じてＬＡＮ回線Ｌ１からＩＰ電話網ＮＷからの認証要求メッセージを受信した場合、当該認証要求メッセージに含まれるＩＰアドレスやＭＡＣアドレスなどの送信先アドレス情報を無線電話端末３０のアドレス情報に変更する機能と、この変更を適用した認証要求メッセージを、ＬＡＮ回線Ｌ１から当該無線電話端末３０へ送信する機能と、これに応じてＬＡＮ回線Ｌ１から受信した当該無線電話端末３０からの認証付き網宛て呼制御メッセージについて、当該認証付き網宛て呼制御メッセージに含まれるＩＰアドレスやＭＡＣアドレスなどの送信元アドレス情報を自装置のアドレス情報に変更する機能と、この変更を適用した認証付き網宛て呼制御メッセージを、ＬＡＮ回線Ｌ１からＩＰ電話網ＮＷへ送信する機能とを有している。
【００３３】
また、転送制御部１４Ａは、ルータＲＴから転送された網宛て呼制御メッセージをＩＰ電話網ＮＷへ送信する際、当該網宛て呼制御メッセージの送信元となる無線電話端末３０が、予め内線電話端末２０のいずれかとの連携関係が設定されている無線電話端末３０である場合にのみ、当該網宛て呼制御メッセージをＩＰ電話網ＮＷへ送信する機能を有している。
【００３４】
連携制御部１４Ｂは、ＩＰ電話網ＮＷに対する無線電話端末３０の登録処理後、ＬＡＮ回線Ｌ１からＩＰ電話網ＮＷからの連携電話番号への着信に応じて、当該連携電話番号に対応する内線電話端末２０および無線電話端末３０の双方へ着信通知を行う機能と、端末宛て呼制御メッセージが無線電話端末３０の登録処理の成功を示す場合、当該無線電話端末３０と連携関係にある内線電話端末２０が有する機能キーのうちのいずれかに、これら無線電話端末３０および内線電話端末２０間で共用する連携電話番号に対応する連携回線を選択するための連携回線キーを割り当てる機能とを有している。
【００３５】
図３は、内線電話端末の外観図である。内線電話端末２０には、ダイヤルキーのほか、各種機能を任意に割り当てて利用できる機能キー２０Ａが複数設けられている。連携制御部１４Ｂは、これら機能キー２０Ａのうちのいずれかに、連携回線キー２０Ｂを割り当てる。各機能キー２０Ａには、当該機能に関する表示を行うＬＥＤなどのランプが設けられており、連携制御部１４Ｂは、この連携回線キー２０Ｂのランプの表示状態を制御して、連携回線の使用状態を識別表示する。これにより、当該内線電話端末２０による連携回線の使用状況だけでなく、連携関係にある無線電話端末３０による連携回線の使用状況も利用者に報知することができる。
【００３６】
［第１の実施の形態の動作］
次に、図４を参照して、本実施の形態にかかる電話システム１の無線電話端末登録動作について説明する。図４は、第１の実施の形態にかかる電話システムの無線電話端末登録動作を示すシーケンス図である。
ここでは、連携制御対象である無線電話端末３０による、ＩＰ電話網ＮＷへの登録処理について説明する。
【００３７】
無線電話端末３０は、ＩＰ電話網ＮＷに対して登録処理を行うため、登録処理に関する網宛て呼制御メッセージ、すなわち登録メッセージ（ＲＥＧＩＳＴＥＲ）を間欠的に送信する（ステップ１００）。
ルータＲＴは、無線電話端末３０から送信された網宛て呼制御メッセージの送信先を確認し、その送信先が予め設定されているＩＰ電話網ＮＷの呼制御サーバであるか確認する（ステップ１０１）。
ここで、送信先が予め設定されているＩＰ電話網ＮＷの呼制御サーバである場合、当該網宛て呼制御メッセージをＩＰ電話網ＮＷではなく電話制御装置１０へ転送する（ステップ１０２）。なお、送信先が予め設定されているＩＰ電話網ＮＷの呼制御サーバでなければ、当該パケットをＩＰ電話網ＮＷへ転送する。
【００３８】
電話制御装置１０の転送制御部１４Ａは、ルータＲＴから転送された網宛て呼制御メッセージを、ＬＡＮ回線Ｌ１および網Ｉ／Ｆ部１１を介して受信し、この網宛て呼制御メッセージについて、呼制御データ１３Ａの端末連携情報を参照して、当該網宛て呼制御メッセージの送信元となる無線電話端末３０が、予め内線電話端末２０のいずれかとの連携関係が設定されているか否か確認する（ステップ１０３）。
【００３９】
ここで、当該網宛て呼制御メッセージの送信元となる無線電話端末３０について、連携関係が設定されている場合には、当該網宛て呼制御メッセージに含まれる送信元アドレス情報を自装置のアドレス情報に変更した後（ステップ１０４）、網Ｉ／Ｆ部１１およびＬＡＮ回線Ｌ１からＩＰ電話網ＮＷへ送信する（ステップ１０５）。
これにより、電話制御装置１０のアドレスを送信元とする無線電話端末３０からの登録メッセージ（ＲＥＧＩＳＴＥＲ）が、ルータＲＴおよび網回線Ｌ２を介してＩＰ電話網ＮＷに送信されることになる。なお、連携関係が設定されていない場合には、アドレス情報を変更せずにＩＰ電話網ＮＷへ送信する。
【００４０】
この登録メッセージ（ＲＥＧＩＳＴＥＲ）に応じて、ＩＰ電話網ＮＷから登録要求の送信元となる電話制御装置１０に対して、認証要求メッセージ（４０７）が送信された場合（ステップ１１０）、転送制御部１４Ａは、網回線Ｌ２、ルータＲＴ、ＬＡＮ回線Ｌ１および網Ｉ／Ｆ部１１を介して、この認証要求メッセージ（４０７）を受信する。そして、この認証要求メッセージ（４０７）に含まれる登録要求元の電話番号などの識別情報に基づいて、登録要求元の無線電話端末３０を特定し、当該認証要求メッセージ（４０７）の送信先アドレス情報を無線電話端末３０のアドレス情報に変更した後（ステップ１１１）、網Ｉ／Ｆ部１１およびＬＡＮ回線Ｌ１から無線基地局ＡＰを介して無線電話端末３０へ送信する（ステップ１１２）。
【００４１】
これにより、電話制御装置１０のアドレスを送信元とするＩＰ電話網ＮＷからの認証要求メッセージ（４０７）が無線電話端末３０に転送されることになる。
これに応じて、認証処理に必要となる無線電話端末３０のＩＰ電話網ＮＷ用のＩＤやパスワードを含む認証付き網宛て呼制御メッセージとして、認証付き登録メッセージ（ＲＥＧＩＳＴＥＲ）が無線電話端末３０から電話制御装置１０宛てに送信される（ステップ１１３）。
転送制御部１４Ａは、この認証付き登録メッセージについて、メッセージに含まれる送信元アドレス情報を自装置のアドレス情報に変更した後（ステップ１１４）、ＩＰ電話網ＮＷへ送信する（ステップ１１５）。
【００４２】
この後、ＩＰ電話網ＮＷにおいて認証が成功した場合、ＩＰ電話網ＮＷから電話制御装置１０に対して、端末宛て呼制御メッセージ、ここでは登録成功メッセージ（２００ＯＫ）が送信される（ステップ１２０）。
転送制御部１４Ａは、この登録成功メッセージ（２００ＯＫ）について、その送信先アドレス情報を無線電話端末３０のアドレス情報に変更した後（ステップ１２１）、無線電話端末３０へ送信する（ステップ１２２）。
【００４３】
また、連携制御部１４Ｂは、この登録成功メッセージ（２００ＯＫ）が無線電話端末３０の登録処理の成功を示すことから、無線電話端末３０と連携関係にある内線電話端末２０に設けられた機能キーのうちのいずれかに、連携回線を選択するための連携回線キーを割り当てるキー割り当てメッセージと、当該連携回線キーと対応するランプの消灯を指示するランプ制御メッセージとを、内線Ｉ／Ｆ部１２から内線回線２１を介して内線電話端末２０へ送信する（ステップ１２３，１２４）。これにより、内線電話端末２０の機能キーの１つとして、連携回線キーが割り当てられ、そのランプが消灯状態となる。
【００４４】
［第１の実施の形態の効果］
このように、本実施の形態は、ルータＲＴが、無線電話端末３０からＩＰ電話網ＮＷに送信された網宛て呼制御メッセージを電話制御装置１０へ転送し、電話制御装置１０の転送制御部１４Ａが、ルータＲＴから転送された網宛て呼制御メッセージのうち、ＩＰ電話網ＮＷに対する無線電話端末３０の登録処理に関するメッセージについて、当該メッセージに含まれる送信元アドレス情報を自装置のアドレス情報に変更した後、ＩＰ電話網ＮＷへ送信し、これに応じて受信したＩＰ電話網ＮＷからの端末宛て呼制御メッセージについて、当該メッセージに含まれる送信先アドレス情報を無線電話端末３０のアドレス情報に変更した後、無線電話端末３０へ送信するようにしたものである。
【００４５】
これにより、無線電話端末３０が連携制御対象であることを電話制御装置１０に予め登録しておくだけで、無線電話端末３０からＩＰ電話網ＮＷへ送信した登録メッセージ（ＲＥＧＩＳＴＥＲ）に基づいて、ＩＰ電話網ＮＷに対する無線電話端末３０の登録処理が、電話制御装置１０経由で行われることになる。
したがって、ＩＤやパスワードを設定するための複雑な設定操作を必要とすることなく、また利用者が抵抗を感じることなく、電話制御装置１０により、無線電話端末３０と内線電話端末２０とを連携制御することが可能となる。
【００４６】
［第２の実施の形態］
次に、図５を参照して、本発明の第２の実施の形態にかかる電話システム１について説明する。図５は、第２の実施の形態にかかる電話システムの無線電話端末着信動作を示すシーケンス図である。
本実施の形態では、第１の実施の形態で説明した、ＩＰ電話網ＮＷに対する無線電話端末３０の登録処理を実行した後、ＩＰ電話網ＮＷから着信要求が通知された場合について説明する。
【００４７】
本実施の形態において、電話制御装置１０の転送制御部１４Ａは、ＬＡＮ回線Ｌ１からＩＰ電話網ＮＷからの連携電話番号への着信処理に関する端末宛て呼制御メッセージを受信した場合、当該端末宛て呼制御メッセージに含まれる送信先アドレス情報を無線電話端末３０のアドレス情報に変更する機能と、この変更を適用した端末宛て呼制御メッセージを、ＬＡＮ回線Ｌ１から当該無線電話端末３０へ送信する機能と、これに応じてＬＡＮ回線Ｌ１から受信した当該無線電話端末３０からの網宛て呼制御メッセージについて、当該呼制御メッセージに含まれる送信元アドレス情報を自装置のアドレス情報に変更する機能と、この変更を適用した呼制御メッセージを、ＬＡＮ回線Ｌ１からＩＰ電話網ＮＷへ送信する機能とを有している。
【００４８】
［第２の実施の形態の動作］
次に、図５を参照して、本実施の形態にかかる電話システム１の無線電話端末着信動作について説明する。
ここでは、ＩＰ電話網ＮＷからの着信要求に対して、連携制御対象である内線電話端末２０と無線電話端末３０の両方に着信通知し、このうち無線電話端末３０で着信応答する場合について説明する。
【００４９】
相手電話端末４０での連携電話番号に対する発信操作に応じて、ＩＰ電話網ＮＷから着信処理に関する端末宛て呼制御メッセージ、ここでは着信要求メッセージ（ＩＮＶＩＴＥ）が通知された場合（ステップ２００）、電話制御装置１０の転送制御部１４Ａは、網回線Ｌ２、ルータＲＴ、ＬＡＮ回線Ｌ１および網Ｉ／Ｆ部１１を介して、この着信要求メッセージ（ＩＮＶＩＴＥ）を受信する。
【００５０】
そして、転送制御部１４Ａは、この着信要求メッセージ（ＩＮＶＩＴＥ）に含まれる着信先を示す連携電話番号に基づいて、呼制御データ１３Ａの端末連携情報を参照して着信先の無線電話端末３０を特定し、当該着信要求メッセージ（ＩＮＶＩＴＥ）に含まれる送信先アドレス情報を無線電話端末３０のアドレス情報に変更した後（ステップ２０１）、網Ｉ／Ｆ部１１およびＬＡＮ回線Ｌ１から無線基地局ＡＰを介して無線電話端末３０へ送信する（ステップ２０２）。
これにより、無線電話端末３０で着信表示が行われる（ステップ２０３）。
【００５１】
また、連携制御部１４Ｂは、着信先を示す連携電話番号に基づいて、呼制御データ１３Ａの端末連携情報を参照して無線電話端末３０と連携関係にある内線電話端末２０を特定し、相手電話端末４０からの着信を示す着信要求メッセージを生成して、内線Ｉ／Ｆ１２および内線回線２１を介して内線電話端末２０へ送信するとともに（ステップ２０４）、連携回線キーのランプを赤点滅（着信有り）とするランプ制御メッセージを内線電話端末２０へ送信する（ステップ２０５）。
これにより、内線電話端末２０で着信表示が行われ（ステップ２０６）、この際、連携回線キーのランプが赤点滅（着信有り）で表示される。
【００５２】
このようにして、連携関係にある無線電話端末３０と内線電話端末２０の両方で着信表示が行われ、これら無線電話端末３０から網宛て呼制御メッセージ、ここでは着信中メッセージ（１８０）が返送されるとともに（ステップ２１０）、内線電話端末２０から着信中メッセージが返送される（ステップ２１１）。
転送制御部１４Ａは、無線電話端末３０からの着信中メッセージ（１８０）について、メッセージに含まれる送信元アドレス情報を自装置のアドレス情報に変更し（ステップ２１２）、この変更を適用した着信中メッセージ（１８０）を、ＬＡＮ回線Ｌ１からＩＰ電話網ＮＷへ送信する（ステップ２１３）。
【００５３】
この後、内線電話端末２０より先に無線電話端末３０において、当該着信に対する応答操作が行われた場合（ステップ２２０）、無線電話端末３０から網宛て呼制御メッセージ、ここでは応答メッセージ（２００ＯＫ）が送信される（ステップ２２１）。
転送制御部１４Ａは、無線電話端末３０からの応答メッセージ（２００ＯＫ）について、メッセージに含まれる送信元アドレス情報を自装置のアドレス情報に変更し（ステップ２２２）、この変更を適用した応答メッセージ（２００ＯＫ）を、ＬＡＮ回線Ｌ１からＩＰ電話網ＮＷへ送信する（ステップ２２３）。
【００５４】
また、連携制御部１４Ｂは、無線電話端末３０からの応答メッセージ（２００ＯＫ）に応じて、呼制御データ１３Ａの端末連携情報を参照し、無線電話端末３０と連携関係にある内線電話端末２０を特定し、着信要求を取り消しを指示する着信取り消しメッセージを内線電話端末２０へ送信するとともに（ステップ２２４）、連携回線キーのランプを橙点灯（無線電話端末の通話中）とするランプ制御メッセージを内線電話端末２０へ送信する（ステップ２２５）。
これにより、内線電話端末２０で着信表示が停止され（ステップ２２６）、この際、連携回線キーのランプが橙点灯（無線電話端末の通話中）で表示される。
【００５５】
このようにして、無線電話端末３０での着信応答がＩＰ電話網ＮＷへ通知され、相手電話端末４０と無線電話端末３０との間で通話が開始される（ステップ２２７）。
この通話中に、無線電話端末３０と連携関係にある内線電話端末２０において、連携回線キーによる発信操作が行われ（ステップ２３０）、連携回線を用いた発信要求メッセージが内線電話端末２０から送信される（ステップ２３１）。
【００５６】
連携制御部１４Ｂは、この発信要求メッセージにより指定された連携回線の使用状態を呼制御データ１３Ａにより確認し（ステップ２３２）、この場合には、内線電話端末２０と連携関係にある無線電話端末３０が、連携回線を使用していることから、発信拒否メッセージを返送する（ステップ２３３）。
なお、連携回線のチャネル数が２以上の場合には、このうち使用可能なチャネルが存在することを確認した上で、内線電話端末２０からの発信要求をＩＰ電話網ＮＷへ通知するようにしてもよい。
【００５７】
［内線電話端末着信動作］
次に、図６を参照して、本実施の形態にかかる電話システム１の内線電話端末着信動作について説明する。図６は、第２の実施の形態にかかる電話システムの内線電話端末着信動作を示すシーケンス図である。
ここでは、ＩＰ電話網ＮＷからの連携電話番号への着信に対して、連携制御対象である内線電話端末２０と無線電話端末３０の両方に着信通知し、このうち内線電話端末２０で着信応答する場合について説明する。なお、ステップ２１３までの手順については、図５と同様であり、ここでの説明は省略する。
【００５８】
着信中メッセージ（１８０）がＩＰ電話網ＮＷに送信された後、無線電話端末３０より先に内線電話端末２０において、当該着信に対する応答操作が行われた場合（ステップ２５０）、内線電話端末２０から応答メッセージが送信される（ステップ２５１）。
転送制御部１４Ａは、内線電話端末２０からの応答メッセージ（２００ＯＫ）に応じて、内線電話端末２０の応答を示す応答メッセージ（２００ＯＫ）を生成して、ＬＡＮ回線Ｌ１からＩＰ電話網ＮＷへ送信する（ステップ２５２）。
【００５９】
また、連携制御部１４Ｂは、内線電話端末２０からの応答メッセージ（２００ＯＫ）に応じて、呼制御データ１３Ａの端末連携情報を参照し、内線電話端末２０と連携関係にある無線電話端末３０を特定し、着信要求を取り消しを指示する着信取り消しメッセージ（ＣＡＮＣＥＬ）をＬＡＮ回線Ｌ１から無線電話端末３０へ送信する（ステップ２５３）。これにより、無線電話端末３０で着信表示が停止される（ステップ２５４）。
【００６０】
また、連携制御部１４Ｂは、内線電話端末２０からの応答メッセージ（２００ＯＫ）に応じて、網Ｉ／Ｆ部１１を制御して、相手電話端末４０と内線電話端末２０との通話路を接続し、連携回線キーのランプを緑点灯（自端末の通話中）とするランプ制御メッセージを内線電話端末２０へ送信する（ステップ２５５）。これにより、内線電話端末２０の連携回線キーのランプが緑点灯（通話中）で表示される。
【００６１】
このようにして、内線電話端末２０での着信応答がＩＰ電話網ＮＷへ通知され、相手電話端末４０と内線電話端末２０との間で通話が開始される（ステップ２５６）。
この通話中に、内線電話端末２０と連携関係にある無線電話端末３０において、発信操作が行われた場合（ステップ２６０）、発信要求メッセージ（ＩＮＶＩＴＥ）が無線電話端末３０から送信される（ステップ２６１）。
【００６２】
連携制御部１４Ｂは、この発信要求メッセージにより指定された連携回線の使用状態を呼制御データ１３Ａにより確認し（ステップ２６２）、無線電話端末３０と連携関係にある内線電話端末２０が、連携回線を使用していることから、発信拒否メッセージを返送する（ステップ２６３）。
なお、連携回線のチャネル数が２以上の場合には、このうち使用可能なチャネルが存在することを確認した上で、無線電話端末３０からの発信要求をＩＰ電話網ＮＷへ通知するようにしてもよい。
【００６３】
［第２の実施の形態の効果］
このように、本実施の形態は、転送制御部１４Ａが、ＬＡＮ回線Ｌ１からＩＰ電話網ＮＷからの連携電話番号への着信処理に関する端末宛て呼制御メッセージを受信した場合、当該端末宛て呼制御メッセージに含まれる送信先アドレス情報を無線電話端末３０のアドレス情報に変更する機能と、この変更を適用した端末宛て呼制御メッセージを、ＬＡＮ回線Ｌ１から当該無線電話端末３０へ送信する機能と、これに応じてＬＡＮ回線Ｌ１から受信した当該無線電話端末３０からの網宛て呼制御メッセージについて、当該呼制御メッセージに含まれる送信元アドレス情報を自装置のアドレス情報に変更する機能と、この変更を適用した呼制御メッセージを、ＬＡＮ回線Ｌ１からＩＰ電話網ＮＷへ送信するようにしたものである。
【００６４】
これにより、第１の実施の形態で説明した、ＩＰ電話網ＮＷに対する無線電話端末３０の登録処理を実行した後、ＩＰ電話網ＮＷから連携電話番号への着信要求が通知された場合、転送制御部１４Ａにおいて、着信処理に関する呼制御メッセージが、ＩＰ電話網ＮＷと無線電話端末３０との間でアドレス変換して転送される。したがって、例えば連携関係にある内線電話端末２０と無線電話端末３０の両方に着信を通知し、これらのうち先に応答した電話端末と相手電話端末４０との通話を開始することができ、着信処理において、内線電話端末２０と無線電話端末３０とをスムーズに連携制御することができる。
【００６５】
［第３の実施の形態］
次に、図７を参照して、本発明の第３の実施の形態にかかる電話システム１について説明する。図７は、第３の実施の形態にかかる電話システムの無線電話端末発信動作を示すシーケンス図である。
本実施の形態では、第１の実施の形態で説明した、ＩＰ電話網ＮＷに対する無線電話端末３０の登録処理を実行した後、無線電話端末３０から発信要求が通知された場合について説明する。
【００６６】
本実施の形態において、電話制御装置１０の転送制御部１４Ａは、ルータＲＴから転送された網宛て呼制御メッセージのうち、ＩＰ電話網ＮＷに対する無線電話端末３０の発信処理に関する網宛て呼制御メッセージについて、当該網宛て呼制御メッセージに含まれる送信元アドレス情報を自装置のアドレス情報に変更する機能と、この変更を適用した網宛て呼制御メッセージを、ＬＡＮ回線Ｌ１からＩＰ電話網ＮＷへ送信する機能と、これに応じてＬＡＮ回線Ｌ１から受信したＩＰ電話網ＮＷからの端末宛て呼制御メッセージについて、当該端末宛て呼制御メッセージに含まれる送信先アドレス情報を無線電話端末３０のアドレス情報に変更する機能と、この変更を適用した端末宛て呼制御メッセージを、ＬＡＮ回線Ｌ１から当該無線電話端末３０へ送信する機能とを有している。
【００６７】
また、転送制御部１４Ａは、無線電話端末３０が相手電話端末４０と通話中に、無線電話端末３０と連携関係にある内線電話端末２０における連携回線キー操作に応じて、内線電話端末２０から端末切替要求メッセージが送信された場合、端末アドレス変更をＩＰ電話網ＮＷへ要求する機能と、この後、相手電話端末４０の通話を無線電話端末３０から内線電話端末２０に切り替える機能とを有している。
【００６８】
［第３の実施の形態の動作］
次に、図７を参照して、本実施の形態にかかる電話システム１の無線電話端末発信動作について説明する。
ここでは、連携制御対象である無線電話端末３０からの発信要求に応じて、ＩＰ電話網ＮＷへ発信要求を通知する場合について説明する。
【００６９】
無線電話端末３０において、相手電話端末４０への発信操作が行われた場合（ステップ３００）、無線電話端末３０から網宛て呼制御メッセージ、ここでは発信要求メッセージ（ＩＮＶＩＴＥ）が送信される（ステップ３０１）。
【００７０】
ルータＲＴは、無線電話端末３０から送信されたパケットの送信先を確認し、その送信先が予め設定されているＩＰ電話網ＮＷの呼制御サーバであるか確認する（ステップ３０２）。
ここで、送信先が予め設定されているＩＰ電話網ＮＷの呼制御サーバである場合、当該網宛て呼制御メッセージをＩＰ電話網ＮＷではなく電話制御装置１０へ転送する（ステップ３０３）。なお、送信先が予め設定されているＩＰ電話網ＮＷの呼制御サーバでなければ、当該パケットをＩＰ電話網ＮＷへ転送する。
【００７１】
電話制御装置１０の転送制御部１４Ａは、ルータＲＴから転送された網宛て呼制御メッセージを、ＬＡＮ回線Ｌ１および網Ｉ／Ｆ部１１を介して受信し、この網宛て呼制御メッセージについて、呼制御データ１３Ａの端末連携情報を参照して、当該網宛て呼制御メッセージの送信元となる無線電話端末３０が、予め内線電話端末２０のいずれかとの連携関係が設定されているか否か確認する（ステップ３０４）。
【００７２】
ここで、当該網宛て呼制御メッセージの送信元となる無線電話端末３０について、連携関係が設定されている場合には、この発信要求メッセージにより指定された連携回線の使用状態を呼制御データ１３Ａにより確認する（ステップ３０５）。ここで、無線電話端末３０と連携関係にある内線電話端末２０が、連携回線を使用していた場合、発信拒否メッセージを無線電話端末３０へ返送して、発信を拒否する。
【００７３】
一方、連携回線が使用されていない場合、当該網宛て呼制御メッセージに含まれる送信元アドレス情報を自装置のアドレス情報に変更した後（ステップ３０６）、網Ｉ／Ｆ部１１およびＬＡＮ回線Ｌ１からＩＰ電話網ＮＷへ送信する（ステップ３０７）。
これにより、電話制御装置１０のアドレスを送信元とする無線電話端末３０からの発信要求メッセージ（ＩＮＶＩＴＥ）が、ルータＲＴおよび網回線Ｌ２を介してＩＰ電話網ＮＷに送信されることになる。なお、連携制御の対象として設定されていない場合には、アドレス情報を変更せずにＩＰ電話網ＮＷへ送信する。
【００７４】
この発信要求メッセージ（ＩＮＶＩＴＥ）に応じて、ＩＰ電話網ＮＷから発信要求の送信元となる電話制御装置１０に対して、認証要求メッセージ（４０７）が送信された場合（ステップ３１０）、転送制御部１４Ａは、網回線Ｌ２、ルータＲＴ、ＬＡＮ回線Ｌ１および網Ｉ／Ｆ部１１を介して、この認証要求メッセージ（４０７）を受信する。そして、この認証要求メッセージ（４０７）に含まれる発信要求元の電話番号などの識別情報に基づいて、発信要求元の無線電話端末３０を特定し、当該認証要求メッセージ（４０７）の送信先アドレス情報を無線電話端末３０のアドレス情報に変更した後（ステップ３１１）、網Ｉ／Ｆ部１１およびＬＡＮ回線Ｌ１から無線基地局ＡＰを介して無線電話端末３０へ送信する（ステップ３１２）。
【００７５】
これにより、電話制御装置１０のアドレスを送信元とするＩＰ電話網ＮＷからの認証要求メッセージ（４０７）が無線電話端末３０に転送されることになる。
これに応じて、認証処理に必要となる無線電話端末３０のＩＰ電話網ＮＷ用のＩＤやパスワードを含む認証付き網宛て呼制御メッセージとして、認証付き登録メッセージ（ＲＥＧＩＳＴＥＲ）が、無線電話端末３０から電話制御装置１０宛てに送信される（ステップ３１３）。
【００７６】
転送制御部１４Ａは、この認証付き登録メッセージについて、メッセージに含まれる送信元アドレス情報を自装置のアドレス情報に変更した後（ステップ３１４）、ＩＰ電話網ＮＷへ送信する（ステップ３１５）。
また、転送制御部１４Ａは、この認証付き登録メッセージの送信に応じて、呼制御データ１３Ａの端末連携情報に基づいて、無線電話端末３０と連携関係にある内線電話端末２０を特定し、連携回線キーのランプを橙点灯（無線電話端末の通話中）とするランプ制御メッセージを内線電話端末２０へ送信する（ステップ３１６）。
【００７７】
これにより、相手電話端末４０において着信表示が開始され、ＩＰ電話網ＮＷから電話制御装置１０に対して、端末宛て呼制御メッセージ、ここでは着信中メッセージ（１８０）が送信される（ステップ３２０）。転送制御部１４Ａは、この着信中メッセージ（１８０）について、その送信先アドレス情報を無線電話端末３０のアドレス情報に変更した後（ステップ３２１）、無線電話端末３０へ送信する（ステップ３２２）。
【００７８】
また、この後、相手電話端末４０での応答操作に応じて、ＩＰ電話網ＮＷから電話制御装置１０に対して、端末宛て呼制御メッセージ、ここでは応答メッセージ（２００ＯＫ）が送信される（ステップ３３０）。転送制御部１４Ａは、この応答メッセージ（２００ＯＫ）について、その送信先アドレス情報を無線電話端末３０のアドレス情報に変更した後（ステップ３３１）、無線電話端末３０へ送信する（ステップ３３２）。
【００７９】
このようにして、相手電話端末４０での着信応答がＩＰ電話網ＮＷから電話制御装置１０を介して無線電話端末３０へ通知され、相手電話端末４０と無線電話端末３０との間で通話が開始される（ステップ３３３）。
【００８０】
［通話端末切替動作］
次に、図８を参照して、本実施の形態にかかる電話システム１の通話端末切替動作について説明する。図８は、第３の実施の形態にかかる電話システムの通話端末切替動作を示すシーケンス図である。
ここでは、相手電話端末４０と無線電話端末３０との通話中に、無線電話端末３０と連携関係にある内線電話端末２０において、相手電話端末４０と通話する通話端末を、無線電話端末３０から内線電話端末２０へ切り替える場合について説明する。
【００８１】
無線電話端末３０が相手電話端末４０と通話中に（ステップ３５０）、無線電話端末３０と連携関係にある内線電話端末２０において、連携回線キーによる端末切替操作が行われた場合（ステップ３５１）、端末切替メッセージが内線電話端末２０から送信される（ステップ３５２）。
【００８２】
連携制御部１４Ｂは、この端末切替メッセージに応じて、相手電話端末４０と無線電話端末３０との通話について、端末アドレス（ポート）の変更を要求するためのメディア変更要求メッセージ（ｒｅ−ＩＮＶＩＴＥ）を生成してＩＰ電話網ＮＷへ送信する（ステップ３５３）。
これに応じて、ＩＰ電話網ＮＷから電話制御装置１０に対して、応答メッセージ（２００ＯＫ）が送信される（ステップ３５４）。
【００８３】
ルータＲＴでは、ＬＡＮ回線Ｌ１を介して電話制御装置１０と無線電話端末３０とを接続する場合、それぞれに専用のポートを予め割り当てて、パケットの転送制御を行うものとなっている。したがって、相手電話端末４０との通話に用いるパケットを、無線電話端末３０から電話制御装置１０（内線電話端末２０）へ切り替える場合、ＩＰ電話網ＮＷから送信されるパケットについて、その送信先アドレスのうちＬＡＮ回線Ｌ１側のポート番号に関する変更を、メディア変更要求メッセージ（ｒｅ−ＩＮＶＩＴＥ）により、ＩＰ電話網ＮＷへ要求すればよい。
【００８４】
連携制御部１４Ｂは、メディア変更要求メッセージ（ｒｅ−ＩＮＶＩＴＥ）に対する応答メッセージ（２００ＯＫ）に応じて、無線電話端末３０に対して切断メッセージ（ＢＹＥ）を送信した後（ステップ３５５）、網Ｉ／Ｆ部１１を制御して、相手電話端末４０と内線電話端末２０との通話路を接続し、連携回線キーのランプを緑点灯（自端末の通話中）とするランプ制御メッセージを内線電話端末２０へ送信する（ステップ３５６）。これにより、内線電話端末２０の連携回線キーのランプが緑点灯（通話中）で表示される。
【００８５】
このようにして、相手電話端末４０と無線電話端末３０との間の通話が、内線電話端末２０に切り替えられ、相手電話端末４０と内線電話端末２０との間で通話が開始される（ステップ３５７）。
【００８６】
［第３の実施の形態の効果］
このように、本実施の形態は、転送制御部１４Ａが、ルータＲＴから転送された網宛て呼制御メッセージのうち、ＩＰ電話網ＮＷに対する無線電話端末３０の発信処理に関する網宛て呼制御メッセージについて、当該網宛て呼制御メッセージに含まれる送信元アドレス情報を自装置のアドレス情報に変更し、この変更を適用した網宛て呼制御メッセージを、ＬＡＮ回線Ｌ１からＩＰ電話網ＮＷへ送信し、これに応じてＬＡＮ回線Ｌ１から受信したＩＰ電話網ＮＷからの端末宛て呼制御メッセージについて、当該端末宛て呼制御メッセージに含まれる送信先アドレス情報を無線電話端末３０のアドレス情報に変更し、この変更を適用した端末宛て呼制御メッセージを、ＬＡＮ回線Ｌ１から当該無線電話端末３０へ送信するようにしたものである。
【００８７】
これにより、第１の実施の形態で説明した、ＩＰ電話網ＮＷに対する無線電話端末３０の登録処理を実行した後、無線電話端末３０から発信要求が通知された場合、転送制御部１４Ａにおいて、発信処理に関する呼制御メッセージが、ＩＰ電話網ＮＷと無線電話端末３０との間でアドレス変換して転送される。したがって、発信処理時に、ＩＰ電話網ＮＷから認証要求が通知された場合でも、予めＩＤやパスワードを設定するための複雑な設定操作を必要とすることなく、また利用者が抵抗を感じることなく、認証処理を実行することが可能となる。
【００８８】
また、本実施の形態において、転送制御部１４Ａは、無線電話端末３０が相手電話端末４０と通話中に、無線電話端末３０と連携関係にある内線電話端末２０における連携回線キー操作に応じて、内線電話端末２０から端末切替要求メッセージが送信された場合、端末アドレス変更をＩＰ電話網ＮＷへ要求し、この後、相手電話端末４０の通話を無線電話端末３０から内線電話端末２０に切り替えるようにしてもよい。
【００８９】
これにより、相手電話端末４０からの着信に対して先に無線電話端末３０で応答しても、その後、連携回線キーを押下するという極めて簡単な操作で、内線電話端末２０に切り替えて通話することができる。このため、例えば、無線電話端末３０の電話帳を用いて発信した後、電話システム１が内線電話端末２０で提供している、保留・転送・会議など豊富な通話サービスを利用することができる。
【００９０】
また、本実施の形態では、無線電話端末３０からの発信要求に応じた発信動作を例として説明したが、無線電話端末３０と連携関係にある内線電話端末２０からの発信要求に応じた発信動作については、一般的な電話システムにおける発信処理と同等であり、ここでの説明は省略する。
また、連携関係にある内線電話端末２０と無線電話端末３０のうち、一方の電話端末が連携回線を使用中の場合における、他方の電話端末による連携回線を用いた発信については、前述の図５や図６と同様であり、ここでの説明は省略する。
【００９１】
［第４の実施の形態］
次に、図９を参照して、本発明の第４の実施の形態にかかる電話システム１について説明する。図９は、第４の実施の形態にかかる電話システムの登録更新動作を示すシーケンス図である。
本実施の形態では、第１の実施の形態で説明した、ＩＰ電話網ＮＷに対する無線電話端末３０の登録処理を実行した後、無線電話端末３０から登録更新要求が通知された場合について説明する。
【００９２】
本実施の形態において、電話制御装置１０の転送制御部１４Ａは、ルータＲＴから転送された網宛て呼制御メッセージのうち、ＩＰ電話網ＮＷに対する無線電話端末３０の登録更新処理に関する網宛て呼制御メッセージについて、当該網宛て呼制御メッセージに含まれる送信元アドレス情報を自装置のアドレス情報に変更する機能と、この変更を適用した網宛て呼制御メッセージを、ＬＡＮ回線Ｌ１からＩＰ電話網ＮＷへ送信する機能とを有している。
【００９３】
また、連携制御部１４Ｂは、無線電話端末３０から登録更新処理に関する網宛て呼制御メッセージを受信してから所定の監視時間が経過しても、当該無線電話端末３０から登録更新処理に関する新たな網宛て呼制御メッセージを受信しなかった場合、当該無線電話端末３０と連携関係にある内線電話端末２０に割り当てられている連携回線キーを削除するキー割り当てメッセージを内線電話端末２０へ送信する機能を有している。
【００９４】
［第４の実施の形態の動作］
次に、図９を参照して、本実施の形態にかかる電話システム１の登録更新動作について説明する。
ここでは、連携制御対象である無線電話端末３０からの登録更新要求に応じて、ＩＰ電話網ＮＷへ登録更新要求を通知する場合について説明する。
【００９５】
無線電話端末３０は、ＩＰ電話網ＮＷへの登録処理後、ＩＰ電話網ＮＷに対して登録更新処理を行うため、登録更新メッセージ（ＬｉｆｅＣｈｅｃｋ［ｒｅＲＥＧ］）を間欠的に送信する（ステップ４００）。
【００９６】
ルータＲＴは、無線電話端末３０から送信されたパケットの送信先を確認し、その送信先が予め設定されているＩＰ電話網ＮＷの呼制御サーバであるか確認する（ステップ４０１）。
ここで、送信先が予め設定されているＩＰ電話網ＮＷの呼制御サーバである場合、当該網宛て呼制御メッセージをＩＰ電話網ＮＷではなく電話制御装置１０へ転送する（ステップ４０２）。なお、送信先が予め設定されているＩＰ電話網ＮＷの呼制御サーバでなければ、当該パケットをＩＰ電話網ＮＷへ転送する。
【００９７】
電話制御装置１０の転送制御部１４Ａは、ルータＲＴから転送された網宛て呼制御メッセージを、ＬＡＮ回線Ｌ１および網Ｉ／Ｆ部１１を介して受信し、この網宛て呼制御メッセージについて、呼制御データ１３Ａの端末連携情報を参照して、当該網宛て呼制御メッセージの送信元となる無線電話端末３０が、予め内線電話端末２０のいずれかとの連携関係が設定されているか否か確認する（ステップ４０３）。
【００９８】
ここで、当該網宛て呼制御メッセージの送信元となる無線電話端末３０について、連携関係が設定されている場合には、この網宛て呼制御メッセージが登録更新メッセージ（ＬｉｆｅＣｈｅｃｋ［ｒｅＲＥＧ］）であることから、転送制御部１４Ａは、記憶部１３で保存している無線電話端末３０の登録更新日時を当該時点の日時で更新し（ステップ４０４）、登録更新の成功を示す登録更新成功メッセージを当該無線電話端末３０へ返送する（ステップ４０５）。
【００９９】
また、転送制御部１４Ａは、無線電話端末３０からの当該網宛て呼制御メッセージに含まれる送信元アドレス情報を自装置のアドレス情報に変更した後（ステップ４０６）、網Ｉ／Ｆ部１１およびＬＡＮ回線Ｌ１からＩＰ電話網ＮＷへ送信する（ステップ４０７）。
これに応じて、ＩＰ電話紋ＮＷから登録更新成功メッセージ（２００ＯＫ）が送信される（ステップ４０８）。
【０１００】
一方、連携制御部１４Ｂは、記憶部１３で保存している無線電話端末３０の登録更新日時に基づいて、登録更新後の経過時間を、定期的に確認している（ステップ４１０）。
【０１０１】
ここで、この経過時間が所定の監視時間より経過しており、無線電話端末３０から登録更新メッセージを受信してから所定の監視時間が経過しても、当該無線電話端末３０から新たな登録更新メッセージを受信しなかった場合（ステップ４１１）、連携制御部１４Ｂは、当該無線電話端末３０と連携関係にある内線電話端末２０に対して、連携回線キーの削除を示すキー割り当てメッセージを送信する（ステップ４１２）。
【０１０２】
これにより、利用者の外出などにより、無線電話端末３０が無線基地局ＡＰの圏外に移動した場合、連携関係にある内線電話端末２０において連携回線が使用不可能となる。
【０１０３】
［第４の実施の形態の効果］
このように、本実施の形態は、転送制御部１４Ａが、ルータＲＴから転送された網宛て呼制御メッセージのうち、ＩＰ電話網ＮＷに対する無線電話端末３０の登録更新処理に関する網宛て呼制御メッセージについて、当該網宛て呼制御メッセージに含まれる送信元アドレス情報を自装置のアドレス情報に変更した後、ＬＡＮ回線Ｌ１からＩＰ電話網ＮＷへ送信するようにしたものである。
【０１０４】
これにより、無線電話端末３０が連携制御対象であることを電話制御装置１０に予め登録しておくだけで、無線電話端末３０からＩＰ電話網ＮＷへ送信した登録更新メッセージ（ＬｉｆｅＣｈｅｃｋ［ｒｅＲＥＧ］）に基づいて、ＩＰ電話網ＮＷに対する無線電話端末３０の登録更新処理が、電話制御装置１０経由で行われることになる。
したがって、ＩＤやパスワードを設定するための複雑な設定操作を必要とすることなく、また利用者が抵抗を感じることなく、電話制御装置１０により、無線電話端末３０と内線電話端末２０との連携制御を自動継続することが可能となる。
【０１０５】
また、本実施の形態において、連携制御部１４Ｂが、無線電話端末３０から登録更新処理に関する網宛て呼制御メッセージを受信してから所定の監視時間が経過しても、当該無線電話端末３０から登録更新処理に関する新たな網宛て呼制御メッセージを受信しなかった場合、当該無線電話端末３０と連携関係にある内線電話端末２０に割り当てられている連携回線キーを削除するキー割り当てメッセージを内線電話端末２０へ送信するようにしてもよい。
【０１０６】
これにより、利用者の外出などにより、無線電話端末３０が無線基地局ＡＰの圏外に移動した場合、連携関係にある内線電話端末２０において連携回線が自動的に使用不可能となり、連携回線の管理について高いセキュリティ性を得ることができる。
【０１０７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【０１０８】
また、第１〜第３の実施の形態では、ルータＲＴが電話制御装置１０とは別個の装置からなる場合を例として説明したが、これに限定されるものではない。例えば、ルータＲＴおよびＬＡＮ回線Ｌ１を電話制御装置１０の内部構成として取り込んで、このＬＡＮ回線に無線基地局ＡＰを接続してもよい。このような構成によれば、前述した説明のうちルータＲＴとの間でやり取りした各種メッセージが、電話制御装置１０内部でやり取りされることになるが、実際の動作については、前述と同様であり、前述と同様の作用効果を得ることができる。
【０１０９】
また、この際、ルータＲＴの機能を網Ｉ／Ｆ部１１で実現し、この網Ｉ／Ｆ部１１にＬＡＮ回線を介して無線基地局ＡＰを接続してもよい。このような構成によれば、前述した説明のうちルータＲＴとの間でやり取りした各種メッセージが、電話制御装置１０内部の制御部１４と網Ｉ／Ｆ部１１との間の内部制御コマンドに置き換わることになるが、実際の動作については、前述と同様であり、前述と同様の作用効果を得ることができる。
【符号の説明】
【０１１０】
１…電話システム、１０…電話制御装置、１１…網Ｉ／Ｆ部、１２…内線Ｉ／Ｆ部、１３…記憶部、１３Ａ…呼制御データ、１３Ｐ…プログラム、１４Ａ…転送制御部、１４Ｂ…連携制御部、２０…内線電話端末、２１…内線回線、３０…無線電話端末、４０…相手電話端末、ＮＷ…ＩＰ電話網、Ｌ１…ＬＡＮ回線、Ｌ２…網回線。
【図１】
2015073219.tif 000003
【図２】
2015073219.tif 000004
【図３】
2015073219.tif 000005
【図４】
2015073219.tif 000006
【図５】
2015073219.tif 000007
【図６】
2015073219.tif 000008
【図７】
2015073219.tif 000009
【図８】
2015073219.tif 000010
【図９】
2015073219.tif 000011